(57)【特許請求の範囲】
【請求項１】
記憶手段と、入力手段と、表示手段と、演奏手段と、制御手段とを備え、予約曲を待ち行列で管理するカラオケ装置であって、
集会参加者情報テーブルは、カラオケ集会参加者ごとの固有情報を個人ＩＤに対応付けて記憶し、
入力手段は、リクエスト曲の識別情報と個人ＩＤを対応付けて入力可能であり、
表示手段は、制御手段の制御により各種情報を表示し、
演奏手段は、制御手段の制御によりカラオケ楽曲を演奏し、
制御手段は、予約受付処理と、予約曲表示処理を可能とし、
予約受付処理は、入力されたリクエスト曲がデュエット曲でない場合は楽曲ＩＤと個人ＩＤを対応付けて待ち行列に登録し、入力されたリクエスト曲がデュエット曲であって２つの個人ＩＤが対応付けされている場合は楽曲ＩＤと２つの個人ＩＤを対応付けて待ち行列に登録し、入力されたリクエスト曲がデュエット曲であって１つの個人ＩＤが対応付けされている場合は楽曲ＩＤと１つの個人ＩＤと募集フラグを対応付けて待ち行列に登録し、
予約曲表示処理は、待ち行列に登録されている楽曲ＩＤに該当の曲名と個人ＩＤに該当の固有情報を対応付けして表示させるとともに、募集フラグが付帯している曲の表示には二重唱パートナーを募集中であるというメッセージを付加表示させる
カラオケ装置。
【請求項２】
予約曲表示処理は、待ち行列に登録されているリクエスト曲を一覧的に表示させる一覧モードと、待ち行列に登録されている募集フラグが付いた曲のみを表示させる募集モードとを含んでいる
請求項１に記載のカラオケ装置。
【発明の詳細な説明】
【技術分野】
【０００１】
この発明は、リクエスト曲の予約を、歌う人を特定する情報とともに受け付けるカラオケ装置に関し、とくに、パートナー募集状態でデュエット曲の予約を受け付けるカラオケ装置に関する。
【背景技術】
【０００２】
（Ａ）特許第３１４３４５６号「通信カラオケシステムにおける利用情報採取方法、リモコン送信器、カラオケ再生端末」
カラオケ愛好家が自分専用のリモコン装置を所有する。リモコン装置の個体番号と所有者の個人情報とが対応付けられた顧客データベースをホスト装置が管理している。リモコン装置からの予約信号に個体番号が含まれており、カラオケ装置とホスト装置は、誰がどの曲を何時・どこでリクエストしたのかを把握することができる。
【０００３】
（Ｂ）特開２００５−４９７０７号公報「多機能カラオケリモコン装置」
カラオケパーティの参加者のキャラクタ画像が画面に一覧表示される。参加者が曲を予約するときに自分のキャラクタ画像をタッチ入力することで、誰がどの曲をリクエストしたのかがカラオケ装置に伝わる。画面には、誰が何曲リクエストしているのかが表示される。
【０００４】
（Ｃ）特許第３６２９４５０号「カラオケ接客支援装置を統合したカラオケ装置」
顧客別の演奏履歴をデータベース化している。カラオケパーティに参加している顧客を来店者リストに登録する。ディスプレイに表示される来店者リストの中から１人を特定すると、その顧客の演奏履歴に基づく曲目リストが表示され、その中から一曲を特定することで演奏予約ができる。その予約曲が演奏されると、その顧客の演奏履歴に反映する。
【０００５】
（Ｄ）特許第３４３２１３２号「カラオケ演奏装置、その本体およびリモコン予約装置」
カメラ付きの予約装置により歌う人の顔写真を撮影し、その顔写真データとリクエスト曲のＩＤとを対応付けしてカラオケ装置に転送する。リクエスト曲の演奏順番が来ると、そのリクエスト曲に対応付けされている顔写真がディスプレイに表示される。
【０００６】
（Ｅ）特開２００５−１７７３６号公報「カラオケ装置の演奏予約システムおよび選曲リモコン装置」
デュエット待合室と名付けた機能を備えている。自分が歌いたいデュエット曲を待合室に登録する。その登録ページには自分の顔写真も掲載される。カラオケパーティの他の参加者が待合室を閲覧し、この人とこの曲の相手をしようと思ったら、パートナーとして登録する。パートナーが登録されると、その曲がカラオケ装置に予約される。
【特許文献１】特許第３１４３４５６号公報
【特許文献２】特開２００５−４９７０７号公報
【特許文献３】特許第３６２９４５０号公報
【特許文献４】特許第３４３２１３２号公報
【特許文献５】特開２００５−１７７３６号公報
【発明の開示】
【発明が解決しようとする課題】
【０００７】
周知のように、カラオケ装置には多数のデュエット曲が用意されている。しかしながら、カラオケパブのような業態の店では、１台のカラオケ装置を多数の見知らぬ人同士で共用するので、一緒に歌うパートナーが見つからずデュエット曲がなかなか選択されない。
【０００８】
この発明の目的は、１人であってもデュエット曲を演奏予約すれば、一緒に歌ってくれるパートナーを募集していることをそのカラオケパーティに参加している人達に宣伝することができ、より多くの人にデュエット曲のカラオケを楽しんでもらう機会を提供することにある。
【課題を解決するための手段】
【０００９】
第１の発明に係るカラオケ装置は、次の事項（１）〜（８）により特定されるものである。  
（１）記憶手段と、入力手段と、表示手段と、演奏手段と、制御手段とを備え、予約曲を待ち行列で管理するカラオケ装置であること
（２）集会参加者情報テーブルは、カラオケ集会参加者ごとの固有情報を個人ＩＤに対応付けて記憶すること、
（３）入力手段は、リクエスト曲の識別情報と個人ＩＤを対応付けて入力可能であること、
（４）表示手段は、制御手段の制御により各種情報を表示すること、
（５）演奏手段は、制御手段の制御によりカラオケ楽曲を演奏すること、
（６）制御手段は、予約受付処理と、予約曲表示処理を可能とすること、
（７）予約受付処理は、入力されたリクエスト曲がデュエット曲でない場合は楽曲ＩＤと個人ＩＤを対応付けて待ち行列に登録し、入力されたリクエスト曲がデュエット曲であって２つの個人ＩＤが対応付けされている場合は楽曲ＩＤと２つの個人ＩＤを対応付けて待ち行列に登録し、入力されたリクエスト曲がデュエット曲であって１つの個人ＩＤが対応付けされている場合は楽曲ＩＤと１つの個人ＩＤと募集フラグを対応付けて待ち行列に登録すること、
（８）予約曲表示処理は、待ち行列に登録されている楽曲ＩＤに該当の曲名と個人ＩＤに該当の固有情報を対応付けして表示させるとともに、募集フラグが付帯している曲の表示には二重唱パートナーを募集中であるというメッセージを付加表示させること
【００１０】
第２の発明に係るカラオケ装置において、予約曲表示処理は、待ち行列に登録されているリクエスト曲を一覧的に表示させる一覧モードと、待ち行列に登録されている募集フラグが付いた曲のみを表示させる募集モードとを含んでいる。
【発明の効果】
【００１１】
お客さんは、パートナーを決めずにデュエット曲を演奏予約すると、そのデュエット曲がパートナー募集状態であることをカラオケ集会の参加者に表示宣伝することができるので、デュエット曲をより多くの人に活用してもらうことができる。
【発明を実施するための最良の形態】
【００１２】
＝＝＝カラオケ装置の基本的な構成と機能＝＝＝
この発明の一実施例によるカラオケ装置の概略構成を図１に示している。メインコンピュータ１は、このカラオケ装置の全体を統括する。ハードディスク装置２には、メインコンピュータ１のプログラムと、カラオケデータベースと、映像データベースと、運用記録データベースと、集会参加者情報テーブルなどの各種情報が格納されている。操作／表示パネル部３は、利用者により各種の情報が入力可能であるとともに、利用者に向けて各種の情報を表示可能である。通信制御部７は、通信回線を介して外部のカラオケサーバーおよび会員情報サーバーと通信する。
【００１３】
演奏処理部８は、メインコンピュータ１の制御により、カラオケデータに基づいて伴奏音楽を演奏し、ミキシングアンプ９を介してオーディオシステムにより放音する。マイクロホンからの音声信号はマイクアンプ１０を介してミキシングアンプ９に入力される。
【００１４】
カラオケ演奏に関連した各種の映像情報が、メインコンピュータ１の制御により、ビデオメモリ４・表示処理部５・表示装置６によって利用者に提供される。たとえば、カラオケ演奏中には歌詞テロップを伴ったカラオケ映像が表示される。演奏休止中には、演奏予約状況を示す情報、音楽関連の広告宣伝情報、今週のベストテンのようなカラオケ関連情報などが各種表示される。
【００１５】
＝＝＝サブコンピュータ１２＝＝＝
サブコンピュータ１２は、カラオケ集会に参加している利用者によって操作されるもので、無線ポート１１を介してメインコンピュータ１と通信するものである。サブコンピュータ１２は、タブレットＰＣであり、液晶表示パネルと透明タッチパネルとを組み合わせたタッチパネル表示器をユーザインタフェースとして、利用者から指示情報の入力を受け付ける。
【００１６】
またサブコンピュータ１２は、ＩＣカードインタフェースと、デジタルカメラを一体的に備えている。ＩＣカードインタフェースは、利用者が所持する会員カードに記録されている情報（利用者ＩＤが含まれる）を読み取り可能である。デジタルカメラは、利用者の顔写真を撮影する目的にあわせた仕様となっている。
【００１７】
サブコンピュータ１２は、ＩＣカードインタフェースにより読み取った利用者ＩＤを記憶するとともに、メインコンピュータ１に通知する。サブコンピュータ１２のハードディスク装置には楽曲索引データベースが蔵置されており、これにより利用者がさまざまなモードで楽曲検索を行うことができ、検索した楽曲を演奏予約（リクエスト）することができる。楽曲索引データベースは、カラオケデータベースに対応するもので、曲名・歌手名・作詞作曲者名などの属性情報を楽曲番号に対応付けて集約したものである。
【００１８】
＝＝＝会員情報サーバー＝＝＝
会員情報サーバーが管理するデータベースには、カラオケプロバイダーが発行した会員カードを所有する利用者の個人情報（会員情報）が利用者ＩＤをキーとして集約されている。会員情報には、住所・氏名・年齢・職業などのほか、カラオケ利用実績情報が含まれる。その中には利用者が歌って採点された結果（曲ごとの採点データ）が含まれる。
【００１９】
また会員情報には、デジタルデータ形式の顔写真データが含まれる。ここでの顔写真データは、デジタルカメラで撮影されてプリクラ（商標）のように適宜に編集加工されたものでよい。また一般的な定義とは異なるが、この発明において顔写真とは顔のイラスト画なども包含する概念である。
【００２０】
＝＝＝入店時の情報処理＝＝＝
カラオケ集会に参加する利用者は、まず、自分の会員カードをサブコンピュータ１２に読み込ませる。その利用者ＩＤはメインコンピュータ１に伝達される。メインコンピュータ１は、入店者の利用者ＩＤを会員情報サーバーに送信する。会員情報サーバーは、受信した利用者ＩＤに該当する会員情報中の所定の部分情報をカラオケ装置（メインコンピュータ１）に返信する。メインコンピュータ１に返信されてくる会員情報の中にはニックネーム付きの顔画像データなどが含まれている。メインコンピュータ１は、この顔画像データをハードディスク装置２の集会参加者情報テーブルに記憶するとともに、サブコンピュータ１２にも転送する。また、会員未登録者のために顔画像の代わりに予め用意されているキャラクタ画像を集会参加者情報テーブルに記憶することとしてもよい。本実施例においては、このキャラクタ画像を用いて実施例を説明する。
【００２１】
サブコンピュータ１２のハードディスク装置にも同様な集会参加者情報テーブルが作成されており、メインコンピュータ１から受け取ったキャラクタ画像を含む会員情報がこのテーブルに登録される。サブコンピュータ１２は、透明タッチパネル付き液晶表示器の画面の一部に、集会参加者情報テーブルに登録されているキャラクタ画像を一覧表示する。この入店者のキャラクタ画像のリストは、画面の片隅に常時表示されている。
【００２２】
＝＝＝リクエスト曲と利用者ＩＤの入力＝＝＝
図２に示すように、利用者は、サブコンピュータ１２によってリクエスト曲を選出すると、そのリクエスト曲の詳細情報が記載された画面を表示する。現時点でのカラオケ集会参加者のキャラクタ画像が画面下側に表示されており、吹き出し内の数字は各参加者の予約曲数を意味する。利用者が、このリクエスト曲を予約するためにこの画面に設けられた「予約」ボタンを選択して演奏予約指示を発すると、図３に示すように、キャラクタ画像がポップアップ表示される。そして、画面に表示されているキャラクタ画像リストの中から自分のキャラクタ画像をタッチ入力する。
【００２３】
選択したリクエスト曲がデュエット曲である場合、一緒に歌唱するパートナーを選択する必要があるため、図４に示すように、キャラクタ画像が再度ポップアップ表示される。特にパートナーが決まっていない場合、「未定」アイコンをタッチ入力する。「未定」とすることが、パートナー募集の意思表示である。
【００２４】
また、カラオケ装置がこれらのキャラクタ画像や顔画像データを用いていない場合においては、予約するときに自分自身を特定する名前などの情報を入力し、「未定」アイコンの代わりに「未定」ボタンなどを設けることで対応すればよい。
【００２５】
＝＝＝パートナー募集モード＝＝＝
デュエット曲をリクエストする際、パートナーを「未定」とすると、パートナー募集モードになる。このモードでは、募集するパートナーの性別がサブコンピュータ１２にて判断される。たとえば、リクエスト曲が男女デュエット曲であり、リクエストした人が男性であれば、パートナーとして募集するのは女性である。リクエスト曲が男女デュエット曲であるということは、楽曲索引データベースにおける当該曲の属性データを見ればわかる。リクエストした人の性別は、リクエストした人の個人情報を見ればわかる。
【００２６】
サブコンピュータ１２は、デュエット曲の楽曲ＩＤと、リクエストした人の個人ＩＤと、募集フラグ（男女の性別を含む）とを対応付けしたリクエスト情報をメインコンピュータ１に送る。これを受け取ったメインコンピュータ１は、演奏順番を管理する待ち行列に当該リクエスト情報を登録する。
【００２７】
なお、デュエット曲のリクエストに際して２人分の個人ＩＤを入力すれば、パートナー募集モードとはならず、その楽曲ＩＤと２人分の個人ＩＤとが対応付けされてサブコンピュータ１２からメインコンピュータ１に送られ、待ち行列に登録される。
【００２８】
＝＝＝予約曲の表示＝＝＝
図５に示すように、メインコンピュータ１は、リクエスト入力があった際や曲間において、待ち行列に登録されているリクエスト曲の一覧を表示させるが、そのリストには各曲の待ち順、各曲を歌唱する人のキャラクタ画像、曲名、歌手名、またはパートナー募集メッセージを添付させている。また、「未定」アイコンは、点滅するなどしてその曲が一緒に歌うパートナーを募集していることを宣伝する。さらに、図６に示すように、募集フラグが対応付けられたリクエスト曲だけを表示するパートナー募集曲表示もリクエスト入力があった際や曲間において表示される。
【００２９】
サブコンピュータ１２もタッチパネル操作が行われていないときは、タッチパネル表示画面にて、リクエスト曲の一覧やパートナー募集曲を所定の表示頻度で表示する。それらが表示されているときに、「未定」アイコンがタッチ入力されると、図４のパートナー選択画面に遷移する。
【００３０】
また、サブコンピュータ１２のタッチパネル画面が待機画面や選曲画面のときに、「デュエットパートナー募集」という文字などを点滅表示させ、その表示に触れるとパートナー募集曲表示画面に遷移したり、歌唱中の歌唱画面をパートナー募集曲表示画面にしたりしてもよい。
【図面の簡単な説明】
【００３１】
【図１】本発明の一実施例におけるカラオケ装置のハードウェア構成の概略を示した図である。
【図２】本発明の一実施例における演奏予約の詳細情報画面の概略図である。
【図３】本発明の一実施例における演奏予約の歌唱者選択画面の概略図である。
【図４】本発明の一実施例における演奏予約のパートナー選択画面の概略図である。
【図５】本発明の一実施例におけるリクエスト曲の一覧表示画面の概略図である。
【図６】本発明の一実施例におけるパートナー募集状態のリクエスト曲の表示画面の概略図である。
【符号の説明】
【００３２】
１  メインコンピュータ
１２  サブコンピュータ
【図１】
0004409492.tif 000002
【図２】
0004409492.tif 000003
【図３】
0004409492.tif 000004
【図４】
0004409492.tif 000005
【図５】
0004409492.tif 000006
【図６】
0004409492.tif 000007